(57)【特許請求の範囲】
【請求項１】
画像表示素子に表示された２次元画像を、虚像として拡大結像する接眼レンズ系であって、上記画像表示素子側から眼球側へ向かって順に、正の屈折力の第１群、負の屈折力の第２群、正の屈折力の第３群、正の屈折力の第４群を配してなり、
第１群は、画像表示素子側に凹面を向けた正メニスカスレンズにより構成され、
第２群は、１枚の負レンズもしくは、負レンズと正レンズの２枚のレンズにより構成され、
第３群は、１枚の正レンズにより構成され、
第４群は、１枚の正レンズもしくは、負レンズと正レンズの２枚のレンズにより構成され、
上記画像表示素子側がテレセントリックで、第４群の最も眼球側のレンズ面から眼球までの距離であるアイレリーフ：ＩＲが、
（１） ２３．４ｍｍ≦ＩＲ≦３１．０ｍｍ  
の範囲にあり、
全系の焦点距離：ｆ（＞０）、上記画像表示素子から眼球までの距離：Ｌが、条件：
（２） ２．０４＜Ｌ／ｆ＜３．６７  
を満足し、且つ、
第１群ないし第４群が一体として光軸方向に移動可能であり、
第１群〜第４群の一体的な移動により、視度：Ｄｐｔを、
（７） −３．８５＜Ｄｐｔ＜２．２ 
の範囲で補正する視度補正機能を有することを特徴とする接眼レンズ系。
【請求項２】
請求項１記載の接眼レンズ系において、
全系の焦点距離：ｆ、第１群の焦点距離：ｆ１（＞０）、第２群の焦点距離：ｆ２（＜０）、第３群の焦点距離：ｆ３（＞０）、第４群の焦点距離：ｆ４（＞０）が、条件：
（３） ０．７０＜ｆ１／ｆ＜２．４７   
（４） −２．６５＜ｆ２／ｆ＜−０．３３ 
（５） ０．７０＜ｆ３／ｆ＜３．７８ 
（６） １．５５＜ｆ４／ｆ＜７．５４   
を満足することを特徴とする接眼レンズ系。
【請求項３】
請求項１または２の任意の１に記載の接眼レンズ系を用いるビューファインダ。  
【請求項４】
請求項３記載のビューファインダを有する画像撮影装置。  
【請求項５】
請求項３記載のビューファインダを有する画像観察装置。
【発明の詳細な説明】
【技術分野】
【０００１】
この発明は、接眼レンズ系およびビューファインダおよび画像観察装置および画像撮影装置に関する。
【背景技術】
【０００２】
近年、広く普及しつつあるデジタルカメラやビデオカメラ等の画像撮影装置では、撮影対象物の像を液晶表示素子や有機ＥＬ表示素子等の小型の画像表示素子に表示し、表示された画像を接眼レンズ系により拡大虚像として結像させ、この拡大虚像を肉眼で観察するビューファインダが装備されている。
【０００３】
また、近来、結像光学系による物体像を撮像して、画像表示素子に表示するとともに、撮像した物体像をコンピュータに取り込んで、デイスプレイ上に表示する画像観察装置としてデジタルスコープが知られ、単眼や双眼の望遠鏡として実用化されている。  
このようなデジタルスコープにおいても、画像表示素子に表示された画像を、接眼レンズ系により拡大虚像として結像させ、この拡大虚像を肉眼で観察する構成のものが多く、
これも「ビューファインダ」である。
【０００４】
このようなビューファインダは、使い勝手の面からすると、観察者が近視や遠視である場合に、「眼鏡を着用したまま」や裸眼のままでも使用できることが好ましい。
【０００５】
従来から知られたビューファインダは、何れも「眼球に最も近いレンズ面と眼球（瞳）との距離」であるアイレリーフが１０ｍｍ前後で、「眼鏡をかけた状態」では使用しにくいものが多い。
【０００６】
また、近視や遠視の観察者・撮影者が裸眼で観察できるためには、視度補正機能が必要である。  
このような視度補正機能を持つものが特許文献１に開示されているが、補正範囲が十分であるとは言い難い。
【０００７】
また、従来から知られたビューファインダの接眼レンズ系は「物体側のテレセントリック性」が低いものが多い。
【０００８】
液晶表示素子や有機ＥＬ表示素子等を「画像表示素子」として用いる場合、物体側のテレセントリック性が低いと、画角によって「明るさや色」が異なる原因となり、高精細な観察像が得られ難い。
【発明の概要】
【発明が解決しようとする課題】
【０００９】
この発明は、上述した事情に鑑みて為されたものであって、画像表示素子側に良好なテレセントリック性を持ち、良好な収差補正が可能で、コンパクトで使い勝手の良い接眼レンズ系の実現を課題とする。また、かかる接眼レンズ系を持つ画像観察装置・画像撮影装置の実現を課題とする。
【課題を解決するための手段】
【００１０】
この発明の接眼レンズ系は「画像表示素子に表示された２次元画像を、観察用の虚像として拡大結像する接眼レンズ系」であって以下の如き特徴を有する。  
即ち、画像表示素子側から眼球側へ向かって順に、正の屈折力の第１群、負の屈折力の第２群、正の屈折力の第３群、正の屈折力の第４群を配してなる。  
第１群は、画像表示素子側に凹面を向けた正メニスカスレンズにより構成される。  
第２群は、１枚の負レンズもしくは「負レンズと正レンズの２枚のレンズ」により構成される。  
第３群は、１枚の正レンズにより構成される。  
第４群は、１枚の正レンズもしくは「負レンズと正レンズの２枚のレンズ」により構成される。  
そして、画像表示素子側がテレセントリックで、第４群の最も眼球側のレンズ面から眼球までの距離であるアイレリーフ：ＩＲが、
（１）  ２３．４ｍｍ≦ＩＲ≦３１．０ｍｍ  
の範囲にある。
【００１１】
全系の焦点距離：ｆ（＞０）、上記画像表示素子から眼球までの距離：Ｌは、条件：
（２）  ２．０４＜Ｌ／ｆ＜３．６７  
を満足する。
【００１２】
請求項１記載の接眼レンズ系は、全系の焦点距離：ｆ、第１群の焦点距離：ｆ１（＞０）、第２群の焦点距離：ｆ２（＜０）、第３群の焦点距離：ｆ３（＞０）、第４群の焦点距離：ｆ４（＞０）が、条件：
（３）    ０．７０＜ｆ１／ｆ＜２．４７  
（４）  −２．６５＜ｆ２／ｆ＜−０．３３  
（５）    ０．７０＜ｆ３／ｆ＜３．７８  
（６）    １．５５＜ｆ４／ｆ＜７．５４  
を満足することが好ましい（請求項２）。
【００１３】
請求項１および２記載の接眼レンズ系は、第１群ないし第４群が一体として光軸方向に移動可能であり、第１群〜第４群の一体的な移動により、視度：Ｄｐｔ（ジオプタ）を、
（７） −３．８５＜Ｄｐｔ＜２．２   
の範囲で補正する視度補正機能を有する。
【００１４】
この発明の「ビューファインダ」は、請求項１または２記載の接眼レンズ系を有するビューファインダである（請求項３）。画像表示素子としては「液晶表示素子」や「有機ＥＬ表示素子」等を用いることができる。
【００１５】
この発明の「画像観察装置」は、ビューファインダとして請求項３記載のものを用いることを特徴とする。この画像観察装置は、デジタルスコープである単眼鏡や双眼鏡等として実施することができる。画像観察装置は「静止画・動画」の撮影が可能であるように構成できる。
【００１６】
この発明の「画像撮影装置」は、ビューファインダとして請求項３記載のものを用いることを特徴とする。この画像撮影装置は、デジタルカメラやビデオカメラ等として実施することができる。デジタルカメラやビデオカメラは何れも「静止画・動画」の撮影が可能であるように構成できる。
【００１７】
上記の如く、この発明の接眼レンズ系は仕様として、アイレリーフ：ＩＲの範囲が、上記（１）式の範囲に定められている。
【００１８】
アイレリーフ：ＩＲが、下限の２３．４ｍｍより小さくなると、接眼レンズ系と眼球との間隔が小さくなり「眼鏡をかけての使用」が難しくなる。また、上限の３１．０ｍｍを超えると「眼球と第２群との間隔」が広くなりすぎて、最も眼球側のレンズ径を大きくする必要が生じ、コンパクト性や軽量性の面で不利となる。
【００１９】
条件（２）を満足することにより、接眼レンズ系の「大きさや重量」の適正化が容易になる。また、拡大虚像として結像する観察画像のサイズを「大きすぎず、小さすぎない」大きさに設定でき、視覚に負担を強いることなく観察画像を観察できる。
【００２０】
条件（２）の下限値を超えると、接眼レンズ系の長さが小さくなり、レンズ系における収差補正の負担が大きくなって、良好な性能の確保が難しくなる。また、全系の焦点距離：ｆが大きくなると、接眼レンズ系としての拡大倍率が小さくなって、拡大虚像として結像する観察画像が小さくなりやすい。
【００２１】
条件（２）の上限値を超えると、適正な大きさの観察画像を実現するための画角を確保するのが困難になり、収差の補正も困難になる。また、接眼レンズ系の長さが大きくなり軽量化が難しくなるほか、画像表示素子側（物体側）の良好なテレセントリック性を実現することが困難になる。
【００２２】
また、条件（２）とともに、条件（３）〜（６）を満足することにより、さらに良好な性能を実現できる。
【００２３】
条件（３）の下限値を超えると、第１群の正のパワーが過剰に強くなり、非点収差・歪曲収差が大きくなりやすい。また、観察画像のサイズを大きくすることが難しくなり、これを補うためにサイズの大きい画像表示素子を用いるとビューファインダのサイズが大きくなりやすく、画像撮影装置のコンパクト化が困難になる。
【００２４】
条件（３）の上限を超えると、観察画像のサイズは大きく出来るが、非点収差・歪曲収差は、この場合も大きくなって補正が難しくなる。
【００２５】
条件（３）を満足することにより、非点収差・歪曲収差の良好な補正、高い解像度、適正な大きさの観察画像の実現が容易となる。
【００２６】
条件（４）の上限値・下限値を超えると、何れの場合も「非点収差や像面湾曲」が大きくなって、画面全体で良好な解像を得るのが難しくなりやすい。また、歪曲収差が大きくなって歪んだ観察画像となり易い。
【００２７】
条件（４）を満足することにより、非点収差と像面湾曲を小さくすることが容易となり「画面全体で良好な解像度」の観察画像が実現可能となる。また、歪曲収差を良好に補正でき、歪みの少ない観察画像が実現可能となる。
【００２８】
条件（５）の上限値・下限値を超えると、何れの場合も、歪曲収差が増大して、観察画像の歪みが目立ちやすくなる。また、球面収差の補正も困難になる。
【００２９】
条件（５）を満足することで、歪曲収差と球面収差を良好に補正できる。
【００３０】
条件（６）の上限値・下限値を超えると、何れの場合も、コマ収差・比点収差の良好な補正が難しくなり、「画像表示素子上の点」を点像として結像させることが困難となり、特に周辺の解像が劣化して「観察画像の輪郭」をぼやけさせ易い。
【００３１】
条件（６）を満足することで、コマ収差と非点収差を良好に補正でき、観察画像の画面を解像性の良い画面にすることができる。
【００３２】
画像表示素子としての液晶表示素子や有機ＥＬ表示素子の画素サイズは、一般に１５μｍ程度である。  
このような微小な画素で構成される表示画像を適切に結像できるためには、空間周波数（ｌｐ／ｍｍ）＝１／（（１画素）×２）を解像できる解像度を持つことが理想であるが、人間の目は「観察画像の収差補正を行なう能力」を有しており、上記空間周波数として上記の１／２（＝１／（（１画素）×２×２）を解像できれば十分である。
【００３３】
上記の如く、条件（２）と共に条件（３）〜（６）を満足することにより、画像表示素子側の良好なテレセントリック性を実現でき、コマ収差、像面湾曲、球面収差等、光学収差を適切に補正でき、画像表示素子を適切な観察画像として結像することが可能となる。
【００３４】
この発明の接眼レンズ系は、請求項１のようにアイレリーフの範囲を、仕様として上記の如く定めることにより、眼鏡を掛けたままで使用することができるが、遠視や近視の観察者・撮影者が「裸眼」で使用する場合にも、「視度補正」を行なって鮮明な観察画像を観察できるようにしている。
【００３５】
即ち、視度の補正範囲を条件（７）のように設定することにより、近視や遠視で、裸眼のまま画像観察を行なう場合にも「ピントの合った鮮明な観察画像」を観察できる。
【００３６】
なお、視度補正に際して、第１群〜第４群は「一体」として移動するので、視度補正機構は、例えば、第１群〜第４群を一体的に保持する鏡筒を、カム機構等で光軸方向へ移動させるもの等により容易に構成できる。
【発明の効果】
【００３７】
この発明によれば、画像表示素子側に良好なテレセントリック性を持ち、良好な収差補正が可能で、コンパクトで使い勝手の良い接眼レンズ系を実現できる。従って、この接眼レンズを用いることにより、コンパクトで使い勝手の良いビューファインダ、画像観察装置・画像撮影装置を実現できる。
【図面の簡単な説明】
【００３８】
【図１】実施例１の接眼レンズ系のレンズ構成を示す図である。
【図２】実施例２の接眼レンズ系のレンズ構成を示す図である。
【図３】実施例３の接眼レンズ系のレンズ構成を示す図である。
【図４】実施例４の接眼レンズ系のレンズ構成を示す図である。
【図５】実施例５の接眼レンズ系のレンズ構成を示す図である。
【図６】実施例１の接眼レンズ系に関する収差図である。
【図７】実施例２の接眼レンズ系に関する収差図である。
【図８】実施例３の接眼レンズ系に関する収差図である。
【図９】実施例４の接眼レンズ系に関する収差図である。
【図１０】実施例５の接眼レンズ系に関する収差図である。
【図１１】ビューファインダ・画像撮影装置の実施の１形態を説明するための図である。
【発明を実施するための形態】
【００３９】
以下、接眼レンズ系の実施の形態として、具体的な実施例１〜５を挙げる。  
図１〜図５は、この順序で実施例１〜５に対応する。  
図１〜図５において図の左方が「物体側」すなわち画像表示素子側であり、右側が観察者の眼球側である。煩雑を避けるため、図１〜図５において符号を共通化する。
【００４０】
すなわち、これらの図において符号１により「画像表示素子」を示す。また物体側から数えたレンズに、順次符号２、３、・・を当てる。
【実施例】
【００４１】
「実施例１」
図１に、実施例１の接眼レンズ系のレンズ構成を示す。  
実施例１の接眼レンズ系は、物体側、即ち、符号１で示す画像表示素子側から、レンズ２〜レンズ７の「６枚のレンズ」を配して構成されている。
【００４２】
レンズ２は第１群を構成し、物体側すなわち画像表示素子１側に凹面を向けた正メニスカスレンズである。レンズ３は物体側に凹面を向けた負メニスカスレンズ、レンズ４は物体側に凹面を向けた正メニスカスレンズであり、レンズ３と接合されて、レンズ３とともに第２群（負の屈折力を持つ）を構成している。
【００４３】
レンズ５は、物体側に凹面を向けた正メニスカスレンズで、第３群を構成する。また、レンズ６は、眼球側に凹面を向けた負メニスカスレンズであり、レンズ７は、両凸レンズである。レンズ６とレンズ７とは接合されて、第４群を構成している。
【００４４】
実施例１の数値データを表１に示す。表１において、面の欄における「１」は画像表示素子の画像表示面を表し、面「２」以下はレンズ面を示す。以下の実施例においても同様である。  
全系の焦点距離を「ｅ線」について「ｆ」とし、第１群〜第４群の焦点距離を「ｇ線」について「fg1〜fg4」とする。以下の実施例についても同様である。
【００４５】
全実施例を通じて、長さの次元を持つ量の単位は「ｍｍ」である。
【００４６】
【表１】
0005775418.tif 000002
【００４７】
アイレリーフ：ＩＲは２７．９０ｍｍである。  
ｆ＝２０．８３ｍｍである。
【００４８】
条件（２）〜（６）のパラメータの値は以下の通りである。
【００４９】
L/f=3.00  fg1/f=2.06  fg2/f=-2.02  fg3/f=3.15  fg4/f=1.94  
実施例１の接眼レンズ系は、第１群〜第４群を一体として光軸方向へ変位させることにより「視度補正」を行なうようになっている。
【００５０】
視度：Ｄｐｔを「−３．５３Ｄ（ジオプタ）から２Ｄまで変化させるときのデータ」を表２に示す。表２において「ｚｏｏｍ」は「視度変化」、「Ｓ３」は、表１における面間隔「１」すなわち、上記画像表示面とレンズ１の物体側のレンズ面との間隔である。また、「Ｓ１３」とあるのは、表１における面間隔「１２」に相当し、視度補正に従って、表２の如く変化する。
【００５１】
【表２】
0005775418.tif 000003
【００５２】
「実施例２」
図２に、実施例２の接眼レンズ系のレンズ構成を示す。  
実施例２の接眼レンズ系は、物体側、即ち、符号１で示す画像表示素子側から、レンズ２〜レンズ７の「６枚のレンズ」を配して構成されている。
【００５３】
レンズ２は第１群を構成し、物体側に凹面を向けた正メニスカスレンズである。レンズ３は物体側に凹面を向けた負メニスカスレンズ、レンズ４は物体側に凹面を向けた正メニスカスレンズであり、レンズ３と接合されて、レンズ３とともに第２群（負の屈折力を持つ）を構成している。
【００５４】
レンズ５は、物体側に両凸レンズで、第３群を構成する。また、レンズ６は、眼球側に凹面を向けた負メニスカスレンズであり、レンズ７は、両凸レンズである。レンズ６とレンズ７とは第４群を構成している。
【００５５】
実施例２の数値データを表３に示す。
【００５６】
【表３】
0005775418.tif 000004
【００５７】
アイレリーフ：ＩＲは２８．１４ｍｍである。  
ｆ＝２０．８３ｍｍである。
【００５８】
条件（２）〜（６）のパラメータの値は以下の通りである。
【００５９】
L/f=3.06  fg1/f=1.68  fg2/f=-2.21  fg3/f=2.00  fg4/f=3.21  
実施例２の接眼レンズ系は、第１群〜第４群を一体として光軸方向へ変位させることにより「視度補正」を行なうようになっている。
【００６０】
視度：Ｄｐｔを「−３．５３Ｄ（ジオプタ）から２Ｄまで変化させるときのデータ」を表４に示す。表４において「ｚｏｏｍ」は「視度変化」、「Ｓ３」は、表３における面間隔「１」また、「Ｓ１３」とあるのは、表３における面間隔「１２」に相当し、視度補正に従って、表４の如く変化する。
【００６１】
【表４】
0005775418.tif 000005
【００６２】
「実施例３」
図３に、実施例３の接眼レンズ系のレンズ構成を示す。  
実施例３の接眼レンズ系は、物体側、即ち、符号１で示す画像表示素子側から、レンズ２〜レンズ７の「６枚のレンズ」を配して構成されている。
【００６３】
レンズ２は第１群を構成し、物体側に凹面を向けた正メニスカスレンズである。レンズ３は物体側に凹面を向けた負メニスカスレンズ、レンズ４は物体側に凹面を向けた正メニスカスレンズであり、レンズ３と接合されて、レンズ３とともに第２群（負の屈折力を持つ）を構成している。
【００６４】
レンズ５は、物体側に両凸レンズで第３群を構成する。また、レンズ６は、眼球側に凹面を向けた負メニスカスレンズであり、レンズ７は、両凸レンズである。レンズ６とレンズ７とは接合されて第４群を構成している。
【００６５】
実施例３の数値データを表５に示す。
【００６６】
【表５】
0005775418.tif 000006
【００６７】
アイレリーフ：ＩＲは２６．００ｍｍである。  
ｆ＝２０．８３ｍｍである。
【００６８】
条件（２）〜（６）のパラメータの値は以下の通りである。
【００６９】
L/f=2.98  fg1/f=1.44  fg2/f=-2.08  fg3/f=1.84  fg4/f=6.28  
実施例３の接眼レンズ系は、第１群〜第４群を一体として光軸方向へ変位させることにより「視度補正」を行なうようになっている。
【００７０】
視度：Ｄｐｔを「−３．５３Ｄ（ジオプタ）から２Ｄまで変化させるときのデータ」を表６に示す。表６において「ｚｏｏｍ」は「視度変化」、「Ｓ３」は、表５における面間隔「１」また、「Ｓ１３」とあるのは、表５における面間隔「１２」に相当し、視度補正に従って、表６の如く変化する。
【００７１】
【表６】
0005775418.tif 000007
【００７２】
「実施例４」
図４に、実施例４の接眼レンズ系のレンズ構成を示す。  
実施例４の接眼レンズ系は、物体側、即ち、符号１で示す画像表示素子側から、レンズ２〜レンズ６の「５枚のレンズ」を配して構成されている。
【００７３】
レンズ２は第１群を構成し、物体側に凹面を向けた正メニスカスレンズである。レンズ３は両凹レンズ、レンズ４は両凸レンズであり、レンズ３と接合されて、レンズ３とともに第２群（負の屈折力を持つ）を構成している。
【００７４】
レンズ５は、物体側に凹面を向けた正メニスカスレンズで第３群を構成する。また、レンズ６は、両凸レンズであり、第４群を構成している。
【００７５】
実施例４の数値データを表７に示す。
【００７６】
【表７】
0005775418.tif 000008
【００７７】
アイレリーフ：ＩＲは２７．８０ｍｍである。  
ｆ＝２０．８３ｍｍである。
【００７８】
条件（２）〜（６）のパラメータの値は以下の通りである。
【００７９】
L/f=2.89  fg1/f=1.42  fg2/f=-1.52  fg3/f=2.23  fg4/f=2.48  
実施例４の接眼レンズ系は、第１群〜第４群を一体として光軸方向へ変位させることにより「視度補正」を行なうようになっている。
【００８０】
視度：Ｄｐｔを「−３．５３Ｄ（ジオプタ）から２Ｄまで変化させるときのデータ」を表８に示す。表８において「ｚｏｏｍ」は「視度変化」、「Ｓ３」は、表７における面間隔「１」また、「Ｓ１３」とあるのは、表６における面間隔「１１」に相当し、視度補正に従って、表８の如く変化する。
【００８１】
【表８】
0005775418.tif 000009
【００８２】
「実施例５」
図５に、実施例５の接眼レンズ系のレンズ構成を示す。  
実施例５の接眼レンズ系は、物体側、即ち、符号１で示す画像表示素子側から、レンズ２〜レンズ５の「４枚のレンズ」を配して構成されている。
【００８３】
レンズ２は第１群を構成し、物体側に凹面を向けた正メニスカスレンズである。レンズ３は両凹レンズ（物体側の曲率が強い）であり、第２群を構成している。
【００８４】
レンズ４は、物体側の曲率が小さい両凸レンズで第３群を構成する。また、レンズ５は、両凸レンズであり、第４群を構成している。
【００８５】
実施例５の数値データを表９に示す。
【００８６】
【表９】
0005775418.tif 000010
【００８７】
アイレリーフ：ＩＲは２７．８０ｍｍである。  
ｆ＝２５．００ｍｍである。
【００８８】
条件（２）〜（６）のパラメータの値は以下の通りである。
【００８９】
L/f=2.55  fg1/f=0.88  fg2/f=-0.42  fg3/f=0.88  fg4/f=2.16  
実施例５の接眼レンズ系は、第１群〜第４群を一体として光軸方向へ変位させることにより「視度補正」を行なうようになっている。
【００９０】
視度：Ｄｐｔを「−３．５３Ｄ（ジオプタ）から２Ｄまで変化させるときのデータ」を表１０に示す。表１０において「ｚｏｏｍ」は「視度変化」、「Ｓ３」は、表８における面間隔「１」また、「Ｓ１３」とあるのは、表９における面間隔「１０」に相当し、視度補正に従って、表１０の如く変化する。
【００９１】
【表１０】
0005775418.tif 000011
【００９２】
図６に、実施例１の収差図を示す。
【００９３】
左の図は、視度補正において、視度：−３．５Ｄのときの収差図、中央の図は視度：０Ｄのときの収差図、右の図は視度：２Ｄのときの収差図である。  
上段の収差図における右側の図は、球面収差（LONGITUDINAL SHERICAL ABER）、中央の図は像面湾曲（ASTIGMATIC FIELD CURVES）、右側の図は歪曲収差（DISTORTION）を示す。
【００９４】
下段の収差図はタンジェンシアル・コマ収差（左図）とサジタル・コマ収差を示す。
【００９５】
図７に、実施例２の収差図を図５に倣って示す。  
図８に、実施例３の収差図を図５に倣って示す。  
図９に、実施例４の収差図を図５に倣って示す。  
図１０に、実施例５の収差図を図５に倣って示す。  
全実施例の収差図において、球面収差の図における縦軸の上限値は「１」、横軸の両端の値は「±０．５」、像面湾曲の図における縦軸の上限値は「６．３３」、横軸の両端の値は「±０．５」、歪曲収差の図における縦軸の上限値は「６．３３」、横軸の両端の値は「±５」である。また、コマ収差の図における縦軸の両端の値は「±０．０５」である。
【００９６】
これらの収差図から明らかなように、実施例１〜５は、何れも性能良好であり、視度補正を行なっても性能の劣化がない。
【００９７】
図１１に「接眼レンズ系を用いた画像観察装置」の実施の１形態を示す。  
この画像撮影装置はデジタル双眼鏡であって、結像レンズ系３０にビューファインダ１０が設けられている。  
結像レンズ系３０の右目・左眼に対応する結像レンズよる撮影画像が、対応する画像表示素子１２Ｒ、１２Ｌに表示され、これらを、対応する接眼レンズ系１１Ｒ、１１Ｌにより拡大虚像として結像させ、観察するように構成されている。
【００９８】
即ち、接眼レンズ系１１Ｒ、画像表示素子１２Ｒは「右眼用」であり、接眼レンズ系１１Ｌ、画像表示素子１２Ｌは「左眼用」である。接眼レンズ系１１Ｌ、１１Ｒとしては請求項１〜３の任意の１に記載にものを用いることが出来るが、具体的には上記実施例１〜５の何れかを用いることができる。
【００９９】
符号２０は「観察者の頭部」を示している。
【０１００】
ビューファインダ１０は、その要部である接眼レンズ系１１Ｒ、１１Ｌと画像表示素子１２Ｒ、１２Ｌがケーシング１３内に所定の位置関係に収納されている。そして、ケーシング１３が、結像レンズ系３０に設けられている。
【０１０１】
画像表示素子１２Ｒ、１２Ｌとしては、液晶表示素子やＥＬ表示素子等が用いられ、これらに２次元画像として表示される画像が、接眼レンズ系１１Ｒ、１１Ｌに対する「観察物体」となる。
【符号の説明】
【０１０２】
１      画像表示素子  
２〜７  レンズ
【先行技術文献】
【特許文献】
【０１０３】
【特許文献１】特開２００２−０４８９８５号公報
【図１】
0005775418.tif 000012
【図２】
0005775418.tif 000013
【図３】
0005775418.tif 000014
【図４】
0005775418.tif 000015
【図５】
0005775418.tif 000016
【図６】
0005775418.tif 000017
【図７】
0005775418.tif 000018
【図８】
0005775418.tif 000019
【図９】
0005775418.tif 000020
【図１０】
0005775418.tif 000021
【図１１】
0005775418.tif 000022